(57)【特許請求の範囲】
【請求項１】
洗濯機を設置する平面矩形状の設置板の周縁に上方に向かって一定高さの周壁を突設し、且つ、上記設置板の適所に該設置板の上下面間に貫通した排水口を備えてなる防水パン本体と、この防水パン本体の上記設置板における四隅部上に突設し、且つ、高さが上記周壁よりも高くてその上面を洗濯物の投入口の高さ位置が低い洗濯機の載置面に形成している架台とからなり、上記設置板の周壁における四方の角部の上端面から上記架台の直角に屈曲した外側壁面を上方に向かって突設していると共にこの外側壁面の上端部に、洗濯機載置面の直角に連なった外側端縁から上方に突出した一定高さの突条部を形成してあり、さらに、隣接する架台の外側壁面の対向端面間に、上端部にこれらの架台における上記一定高さの突条部の対向端面にその両端面を接続可能な直状突条部を形成している横長長方形の幕板を着脱自在に介在させていると共に、この幕板の上記直状突条部の下端に両端面が隣接する架台の対向面の上端部に接合して上面が洗濯機載置面に面一状に連続する枠板部を内方に向かって一体に突設し、この枠板部の両端部を隣接する架台の対向端部に着脱自在に支持させていることを特徴とする洗濯機用防水パン。
【発明の詳細な説明】
【技術分野】
【０００１】
本発明は、洗面所や脱衣所等に配設される洗濯機の設置用防水パンに関する。
【背景技術】
【０００２】
従来から、洗濯機用防水パンとしては種々の構造のものが開発されているが、いずれの防水パンにおいても、例えば、特許文献１や特許文献２に記載されているように、上面を洗濯機の載置面に形成している平面矩形状の洗濯機載置板の四方周縁に一定高さの周壁を突設していると共に洗濯機載置板の適所に上面から下方に連通する排水口を設けてなる構造を有している。そして、上記周壁によって洗濯機側からの排水が床面側に漏出するのを防止すると共に、上記排水口を通じて洗濯機のホースから排出される排水を下方の排水トラップ側に流出させるように構成している。
【特許文献１】特開平１１−１４８１５７号公報
【特許文献２】特開２００１−２７１３９７号公報
【発明の開示】
【発明が解決しようとする課題】
【０００３】
しかしながら、洗濯機には、洗濯物の投入口が垂直上方に向いているドラムを備えた洗濯機（以下、縦型洗濯機という）や斜め上方に向いている洗濯機（以下、傾斜型洗濯機という）、或いは、水平方向に向いている洗濯機（以下、横型洗濯機という）などのように投入口の向きが異なった機種があるが、従来の上記洗濯機用防水パンは、いすれもこれらの洗濯機のうち、縦型洗濯機を設置するのに適した形状としている。
【０００４】
即ち、この縦型洗濯機を上記洗濯機用防水パンの洗濯機載置板の上面に設置した場合、その投入口が、洗濯物の出し入れ等の作業が楽な姿勢で行える高さ位置となるように形成しているが、投入口が縦型洗濯機の投入口よりも低い位置にある上記傾斜型洗濯機や横型洗濯機をこの洗濯用防水パン上に設置すると、当然のことながらこれらの洗濯機の投入口が低くなり、従って、洗濯物の出し入れ等の作業やその他の操作が腰をかがめて行わなければならないために、作業がやりずらいばかりでなく姿勢が不安定となって健康を損なう虞れがある。
【０００５】
本発明はこのような問題点に鑑みてなされたもので、その目的とするところは、上記傾斜型洗濯機や横型洗濯機をその投入口が、洗濯物の出し入れ等の作業が安定した楽な姿勢で行える高さ位置となるように設置させることができる洗濯機用防水パンを提供するにある。
【課題を解決するための手段】
【０００６】
上記目的を達成するために本発明の洗濯機用防水パンは、請求項１に記載したように、洗濯機を設置する平面矩形状の設置板の周縁に上方に向かって一定高さの周壁を突設し、且つ、上記設置板の適所に該設置板の上下面間に貫通した排水口を備えてなる防水パン本体と、この防水パン本体の上記設置板における四隅部上に突設し、且つ、高さが上記周壁よりも高くてその上面を洗濯物の投入口の高さ位置が低い洗濯機の載置面に形成している架台とからなり、上記設置板の周壁における四方の角部の上端面から上記架台の直角に屈曲した外側壁面を上方に向かって突設していると共にこの外側壁面の上端部に、洗濯機載置面の直角に連なった外側端縁から上方に突出した一定高さの突条部を形成してあり、さらに、隣接する架台の外側壁面の対向端面間に、上端部にこれらの架台における上記一定高さの突条部の対向端面にその両端面を接続可能な直状突条部を形成している横長長方形の幕板を着脱自在に介在させていると共に、この幕板の上記直状突条部の下端に両端面が隣接する架台の対向面の上端部に接合して上面が洗濯機載置面に面一状に連続する枠板部を内方に向かって一体に突設し、この枠板部の両端部を隣接する架台の対向端部に着脱自在に支持させていることを特徴とする。
【発明の効果】
【０００７】
請求項１に係る発明によれば、防水パン本体における平面矩形状の洗濯機設置板の四隅部上に、上面を洗濯物投入口の高さが低い洗濯機に対する載置面に形成している架台を突設しているので、これらの架台上に横型洗濯機や傾斜型洗濯機のような洗濯物投入口が低い高さ位置に設けられている洗濯機を設置した場合、洗濯機が架台によって持ち上げられた状態となってその投入口の高さが洗濯物の投入等の作業が容易に行える位置にすることができ、洗濯物の出し入れ等が自然な姿勢でもって能率よく行うことができる。
【０００８】
さらに、洗濯機の設置時においては、四方の架台上に該洗濯機の外底面四方に突設している脚体を受止させることによって、所定の位置に正確に設置することができると共に架台の高さが防水パン本体の周壁よりも高くしているから、この周壁が邪魔になることなく洗濯機を容易に且つ安定した状態で架台上に設置することができる。その上、周壁よりも高い架台によってこの架台上に設置した洗濯機の外底面と防水パン本体の洗濯機設置板の上面間にホース接続用のエルボ等を配設するための充分な高さを有する空間を設けることができ、配管作業等も簡単に行えると共に外部からの防水パン本体内の清掃も容易に行うことができる。
【０００９】
その上、防水パン本体における洗濯機設置板の周壁四方の角部の上端面から架台の直角に屈曲した外側壁面を上方に向かって突設していると共にこの外側壁面の上端部に、洗濯機載置面の直角に連なった外側端縁から上方に突出した一定高さの突条部を形成しているので、この架台上に洗濯機からの溢水等が流下した場合、洗濯機を載置させる架台の上面が周壁よりも上方に位置しているにもかかわらず、上記突条部によって防水パン本体外に流出するのを確実に防止することができ、洗濯機載置面である架台上面から架台の内側周壁面部を伝って防水パン本体の洗濯機設置板上に確実に受け入れさせることができ、該設置板に設けている排水口を通じてトラップ側に円滑に流出させることができる。
【００１０】
さらに、防水パン本体の四隅部上に突設している上記架台において、隣接する架台の外側壁面の対向端面間に、上端部にこれらの架台における突条部に接続可能な直状突条部を形成している横長長方形の幕板を着脱自在に介在させているので、外部に露呈している防水パン本体の前面側における隣接する架台の外側壁面間の空間部をこの幕板によって閉止しておくことができ、従って、外部から防水パン本体内に塵埃等が侵入するのを防止することができると共に、防水パン本体内を隠蔽して意匠的にも優れた外観を呈する洗濯機用防水パンを提供することができる。その上、架台上に洗濯機を設置している状態においても、この幕板を隣接する架台間から簡単に取り外すことができ、取り外したあとの広い空間部を通じて防水パン本体の洗濯機設置板上の清掃や排水口の点検等が容易に行うことができる。なお、上記防水パン本体における外部から見え難い背面側には必ずしも幕板を設ける必要はなく、また、側方においても、洗濯機の側面に近接した状態で壁等が存在する場合には、幕板を設ける必要はない。
【００１１】
このように形成した幕板において、該幕板の上記直状突条部の下端に、両端面が隣接する架台の対向面の上端部に接合して上面が洗濯機載置面に面一状に連続する枠板部を内方に向かって一体に突設し、この枠板部の両端部を隣接する架台の対向端部に着脱自在に支持させているので、この枠板部の下方側に防水パン本体の洗濯機載置板に設けている排水口を配置させることによって該排水口およびこの排水口に設けるエルボ等を枠板部により体裁よく隠蔽しておくことができる。また、この枠板部上に洗濯機側からの溢水等が流下しても、直状突条部によって外部に流出するのを確実に阻止し、該枠板部上から防水パン本体内に確実に流下させて排水口を通じて排出することができる。
【発明を実施するための最良の形態】
【００１２】
次に、本発明の具体的な実施の形態を図面について説明すると、図１〜図３において、防水パン本体１は、ＦＲＰやＡＢＳ樹脂などの硬質合成樹脂製成形体であって、洗濯機Ａの横断面積よりも一回り大きい一定厚みを有する平面矩形状の洗濯機設置板２の四方周縁に上方に向かって一定高さの周壁３を突設していると共に上記洗濯機設置板２の前部中央に上下面間に亘って貫通した排水口４を設けてあり、さらに、洗濯機設置板２の四隅部上に、高さが上記周壁３の高さよりも高い架台５を突設している。
【００１３】
これらの架台５の上面は、横型洗濯機や傾斜型洗濯機等における外底面四方部に装着された脚体をそれぞれ受止する平面矩形状の載置面5aに形成されていると共に、上記周壁３における四方の角部にそれぞれ対応した各架台５における直角に屈曲した外側壁面5b、5bの下端を上記角部の上端面に連設して、この角部の上端面から外側壁面5b、5bを上方に向かって突設してあり、さらに、これらの外側壁面5b、5bの上端に、上記洗濯機載置面5aの直角に連なった外側端縁から上方に突出した一定高さを有する平面Ｌ字状の突条部６を形成している。また、洗濯機の載置面5aである上記架台５の上面は、突条部６側から防水パン本体１の中央部側に向かって下方に緩やかに傾斜した傾斜面に形成し、洗濯機からの溢水等が該載置面5a上に流下した時に、その傾斜面を伝って防水パン本体１の設置板２上に流出させるように構成している。
【００１４】
なお、各架台５はその互いに直角に屈曲した上記外側壁面5b、5bと共に互いに直角に屈曲した内側壁面5c、5cとで図５に示すように、一定厚みを有し、且つ下端が防水パン本体１の洗濯機設置板２における四隅部下面からそれぞれ下方に向かって開口した矩形枠状の周壁面部を形成していると共に、この周壁面部の上端に一定厚みを有する上記載置面5aを一体に設けてあり、全体を中空台形状に形成している。また、各架台５の洗濯機載置面5aの内側隅部の互いに直角に隣接する縁辺部に、後述する幕板７の水平枠板部８に突設している突片９を係合させる係止凹部10を設けている。
【００１５】
幕板７は、横幅が隣接する架台５、５の対向面間の幅に等しく、縦幅（高さ）が架台５の外側壁面5bの高さに等しい横長矩形状に形成されてあり、この上端部に全長に亘って上記台板５に設けている平面Ｌ字状の突条部６と断面形状が同大、同形の直状突条部11を一体に形成している。この幕板７は隣接する架台５、５の対向面間に着脱自在に介在させてこれらの架台５、５間における周壁部3aの上方空間を閉塞しているもので、その下端面を隣接する架台５、５の下端間に露出している周壁部3aの上端面に当接、受止させると共に、両側端面を架台５、５の外側壁面5b、5bにおける対向端面に接合させ且つその直状突条部11の両端面を突条部６の対向端面に一直線状に連続するように接合させている。
【００１６】
さらに、この幕板７における上記直状突条部11の内面側の下端に内方に向かって上記架台５の洗濯機載置面5aと同一傾斜度でもって下方に緩やかに傾斜している平面横長長方形状の枠板部８を突設している。この枠板部８はその長さが幕板７の横幅に等しい長さを有し、幅が架台５の洗濯機載置面5aに略等しい幅に形成されていて両端面を隣接する架台５、５の対向面の上端部に接合させることにより、その上面を洗濯機載置面5aに面一状に連続させている。また、この枠板部８の両端面における内端部分に、上記架台５の洗濯機載置面5aの内側隅部に設けている係止凹部10に上方から係合、受止させる突片９を突設している。
【００１７】
また、上記幕板７の外面における長さ方向の中央部下端に、隣接する架台10、10間への取付け、取り外し作業が容易に行えるように手掛け用の凹部12が設けられている。なお、上記突片９を図示していないがゴム製のキャップで被覆するか、或いは、係止凹部10との間にパッキンを介在させて防振機能を奏するように構成しておくことが望ましい。
【００１８】
以上のように構成した洗濯機用防水パンは、使用時に防水パン本体１を、その洗濯機設置板２の前部中央に設けている排水口４を手前側にして洗面所や脱衣所等における洗濯機の設置場所に敷設状態に固定し、その洗濯機設置板２上に、洗濯物の投入口が斜め上方或いは水平方向に向いていてその投入口Ｂの高さ位置が低くなるように構成されている傾斜型洗濯機又は横型洗濯機Ａを設置する（図７参照）。この際、この洗濯機Ａの外底面四方部に装着している脚体ａをそれぞれ四方の架台５の洗濯機載置面5a上に受止させる。そうすると、洗濯機Ａの洗濯物の投入口Ｂが洗濯物の出し入れが楽な姿勢で行える高さ位置にすることができる。
【００１９】
そして、洗濯機Ａの排水ホースＣを図１、図２に示すように、排水口４に配設しているエルボＤ等に接続し、床下側に設けているトラップから排水管を通じて排水させるようする。また、隣接する架台５、５の対向面間に上記幕板７を取付けてこれらの架台５、５間の空間部を該幕板７によって塞ぎ、外部に対して防水パン本体１の洗濯機設置板２を隠蔽して体裁のよい外観を形成する。この場合、手前側の架台５、５間には幕板７を配設するが、外部から見え難い背面側には必ずしも設ける必要はなく、また、側方においては、洗濯機の側面に近接した状態で壁等が存在していない場合には、図３に示すように幕板７を設けておけばよい。
【００２０】
隣接する架台５、５間への幕板７の取付作業は、洗濯機Ａの設置後、或いは設置前のいずれであってもよい。その取付けは、幕板７を隣接する架台５、５間に介挿してその下端面を防水パン本体１の周壁３の長さ方向の中央部上端面に当接、受止させると共に幕板７の上端直状突条部11の内面側下端から内方に向かって突設している枠板部８を隣接する架台５、５間に上方から落とし込むようにしてこの枠板部８の両端面における内端部分に突設した突片９、９を架台５、５の洗濯機載置面5aの内端部分に設けている係止凹部10、10にそれぞれ係合、支持させる。
【００２１】
そうすると、幕板７における上記枠板部８の両端面が架台５、５の対向面の上端部に接合してこの枠板部８の上面が架台５の洗濯機載置面5aの上面と面一状に連続すると共に幕板７の上端部に設けている直状突条部11の両端面が隣接する架台５、５の突条部６、６の対向端面に接合し、一連に連続した状態となる。そして、手前側に設けられた幕板７の枠板部８の下方に排水口４が位置して該排水口４がこの枠板部８に覆い隠されると共に幕板７と架台５によって防水パン本体１の洗濯機設置板２が隠蔽され、体裁のよい外観を呈する洗濯機設置形態を構成することができる。さらに、枠板部８の上面と架台５の洗濯機載置面5aとは突条部６、11から内方に向かって下方に緩やかに傾斜しているから、洗濯機Ａから溢水等して流下した洗濯水をこれらの枠板部８上と載置面5a上から防水パン本体１の洗濯機設置板２上に円滑且つ確実に流出させることができる。
【００２２】
また、防水パン本体１上から洗濯機Ａを撤去することなく、幕板７を上方に僅かに持ち上げるだけで、その枠板部８の両端面に突設している突片９、９が隣接する架台５、５の載置面5aの端縁部に設けている係止凹部10から離脱して幕板７を簡単に取り外すことができ、防水パン本体１に設けている排水口４等の点検や掃除が容易に行うことができる。
【図面の簡単な説明】
【００２３】
【図１】防水パンの分解斜視図。
【図２】防水パン本体の斜視図。
【図３】架台や幕板を取付けてなる防水パンの斜視図。
【図４】一部の拡大分解斜視図。
【図５】架台部分の縦断側面図。
【図６】幕板の取付け状態を示す縦断側面図。
【図７】洗濯機を設置している状態の斜視図。
【符号の説明】
【００２４】
１  防水パン本体
２  洗濯機設置板
３  周壁
４  排水口
５  架台
６  突条部
７  幕板
８  枠板部
11  直状突条部
【図１】
0004634255.tif 000002
【図２】
0004634255.tif 000003
【図３】
0004634255.tif 000004
【図４】
0004634255.tif 000005
【図５】
0004634255.tif 000006
【図６】
0004634255.tif 000007
【図７】
0004634255.tif 000008